(57)【要約】  【課題】バックライトの輝度の低下を抑えつつ、発光による発熱に起因して局所的に高温化することを抑制し得る携帯端末を提供する。  【解決手段】バックライトユニットを含むディスプレイを有する携帯端末であって、前記バックライトユニットは、第１発光部及び第２発光部とを備え、前記第１発光部についての温度を検出する検出部と、前記検出部が一定基準を越える温度を検出した場合に、前記第１発光部の発光の抑制を行い、前記抑制に伴って前記第２発光部の発光の制御を行う制御部とを備える。【選択図】図２
2014089802.tif 000002
【特許請求の範囲】
【請求項１】
バックライトユニットを含むディスプレイを有する携帯端末であって、
前記バックライトユニットは、第１発光部及び第２発光部を備え、
前記第１発光部についての温度の検出を行う検出部と、
前記検出部が一定基準を越える温度を検出した場合に、前記第１発光部の発光の抑制を行い、前記抑制に伴って前記第２発光部の発光の制御を行う制御部とを備える
ことを特徴とする携帯端末。
【請求項２】
前記制御部は、前記第２発光部の発光の前記制御を、前記第１発光部の発光の前記抑制によるバックライトの輝度の低下を補うように行う
ことを特徴とする請求項１記載の携帯端末。
【請求項３】
更に、音を出力するレシーバを備え、
前記バックライトユニットは、導光板を含み、
当該導光板の端辺の内の前記レシーバに最も近い端辺に前記第１発光部が配置され、当該第１発光部が配置された端辺の対向辺に前記第２発光部が配置されている
ことを特徴とする請求項１記載の携帯端末。
【請求項４】
前記検出部は、第１の温度センサを備え、前記温度の検出を、当該第１の温度センサを用いて、前記第２発光部より前記第１発光部に近い所定位置における温度を測定することによって行う
ことを特徴とする請求項３記載の携帯端末。
【請求項５】
前記第１発光部が発光している状態であり、且つ、前記第２発光部が発光していない状態において、
前記制御部における前記抑制は、前記第１発光部の消灯を行うことであり、前記制御は、前記第２発光部の点灯を行うことである
ことを特徴とする請求項４記載の携帯端末。
【請求項６】
前記制御部は、前記ディスプレイに表示する表示画面の更新を行い、前記検出部が一定基準を越える温度を検出した後、次に表示画面の更新を行う際に、前記消灯及び前記点灯を行う
ことを特徴とする請求項５記載の携帯端末。
【請求項７】
前記制御部は、前記検出部が、前記一定基準よりも更に高い所定の温度を検出した場合には、前記更新を待たずに前記消灯及び前記点灯を行う
ことを特徴とする請求項６記載の携帯端末。
【請求項８】
前記第１発光部が発光していない状態であり、且つ、前記第２発光部が発光している状態において、
前記制御部は、前記検出部が前記一定基準より低い所定の温度未満の温度を検出したときには、前記第１発光部を点灯し、前記第２発光部を消灯する
ことを特徴とする請求項５記載の携帯端末。
【請求項９】
前記制御部は、前記消灯を、時間経過に伴って徐々に前記第１発光部に供給する電流量を０になるように減少させることにより行い、前記点灯を、減少させる電流量に相当する電流量分増加するように前記第２発光部に電流を供給することにより行う
ことを特徴とする請求項5記載の携帯端末。
【請求項１０】
前記第１発光部が発光している状態であり、且つ、前記第２発光部が発光していない状態において、
前記制御部における前記抑制は、前記第１発光部へ供給する電流量を減少させて減光することであり、前記制御は、減少させる電流量に相当する電流量を前記第２発光部に供給して発光させることである
ことを特徴とする請求項４記載の携帯端末。
【請求項１１】
前記検出部は、更に、前記第１発光部より前記第２発光部に近い所定位置における温度を測定する第２の温度センサを備え、
前記第１の温度センサでの温度の測定と前記第２の温度センサでの温度の測定とは、所定の時間間隔以内で行われ、
前記一定基準の温度は、前記第２の温度センサで測定した温度より所定の温度高い第１閾値で示される温度であり、前記検出部は、前記第１の温度センサで測定した温度が前記第１閾値を越える温度である場合に、一定基準を越える温度を検出したと判断し、
更に、前記制御部は、前記検出部において前記第１の温度センサで測定した温度が、前記第２の温度センサで測定した温度より所定の温度低い第２閾値未満の温度である場合には、前記第２発光部の発光を抑制し、前記抑制によるバックライトの輝度の低下を補うように前記第１発光部の発光を制御する
ことを特徴とする請求項４記載の携帯端末。
【請求項１２】
更に、通話の開始と終了とを検知する通話検知部を備え、
前記制御部は、前記通話検知部が通話の開始を検知してから通話の終了を検知するまでの間は、
前記検出部が一定基準を越える温度を検出したか否かにかかわらず、前記第１発光部の消灯及び前記第２発光部の点灯を行う
ことを特徴とする請求項４記載の携帯端末。
【請求項１３】
更に、前記検出部は、前記第１発光部について、点灯からの点灯時間を計時する点灯時間計時部を備え、
前記検出部は、前記点灯時間計時部によって計時された前記点灯時間が、予め定められた所定の点灯時間を越える場合に、前記一定基準を越える温度を検出したとみなす
ことを特徴とする請求項３記載の携帯端末。
【請求項１４】
バックライトユニットを含むディスプレイを有する携帯端末であって、
前記バックライトユニットは、第１発光部及び第２発光部を備え、
前記第１発光部及び前記第２発光部について、点灯からの点灯時間を計時する点灯時間計時部と、
前記点灯時間計時部によって計時された前記点灯時間が、予め定められた所定の点灯時間を越える毎に、前記第１発光部及び前記第２発光部の内、発光している発光部を消灯し、消灯している発光部を点灯するよう制御する制御部とを備える
ことを特徴とする携帯端末。
【請求項１５】
バックライトユニットを含むディスプレイを有する携帯端末の制御方法であって、
前記バックライトユニットは、第１発光部及び第２発光部を備え、
前記制御方法は、
前記第１発光部についての温度の検出を行う検出ステップと、
前記検出ステップが一定基準を越える温度を検出した場合に、前記第１発光部の発光の抑制を行い、前記抑制に伴って前記第２発光部の発光の制御を行う制御ステップとを備える
ことを特徴とする制御方法。
【請求項１６】
バックライトユニットを含むディスプレイを有する携帯端末の制御プログラムであって、
前記バックライトユニットは、第１発光部及び第２発光部を備え、
前記制御プログラムは、前記携帯端末に、
前記第１発光部についての温度の検出を行う検出ステップと、
前記検出ステップが一定基準を越える温度を検出した場合に、前記第１発光部の発光の抑制を行い、前記抑制に伴って前記第２発光部の発光の制御を行う制御ステップと
を実行させることを特徴とする制御プログラム。
【発明の詳細な説明】
【技術分野】
【０００１】
本発明は、携帯端末の表示装置に用いられるバックライトユニットに関し、特に、それ自身の発光に伴う携帯端末の温度上昇を抑制する技術に関する。
【背景技術】
【０００２】
表示装置にＬＣＤ（Liquid Crystal Display）パネルを含む携帯端末において、ＬＣＤパネル自体は発光しないので、ＬＣＤパネルの画面をユーザが視認できるように、ＬＣＤパネルを背面から照らすバックライトユニットが用いられる。バックライトユニットの発光の方式には、光源の配置によって、直下型方式とエッジライト方式とがある。直下型方式は、光源をＬＣＤパネルの背面直下に配置する方式であり、エッジライト方式は、光源をＬＣＤパネルの背面直下ではなく端部に配置し、光源からの光を、導光板を用いてＬＣＤパネルの背面から照らす方向に導き、導光板の主面（ＬＣＤパネルを照明する面）を面発光させる方式である。
【０００３】
エッジライト方式では、直下型方式のように、光源を平面状に配置するのではなく、導光板の端部に沿って直線状に配置するため、光源に用いるＬＥＤ（Light Emitting Diode）の数を直下型方式に比べて少なくでき、ＬＣＤパネルの背面に光源を配置しないのでバックライトユニットの厚みを薄くすることができる（特許文献１）。
【先行技術文献】
【特許文献】
【０００４】
【特許文献１】特開２０１２−０１４９４８号公報
【発明の概要】
【発明が解決しようとする課題】
【０００５】
しかしながら、エッジライト方式は、光源に用いるＬＥＤの数が少ない分、直下型方式と同等の輝度を保つためには、個々のＬＥＤの発光量を大きくする必要があり、これらＬＥＤがバックライトユニットの端部に集中しているため、発光による発熱が原因で光源周辺が局所的に高温化し得る。携帯端末が局所的に高温化することは、携帯端末内の回路保護の観点からも、ユーザの使用感の観点からも好ましくない。発熱を抑えるために発光量を抑えるとバックライトの輝度が低下し、ＬＣＤパネルの画面の視認性が悪くなり、利便性が損なわれる。
【０００６】
そこで、本発明は、係る問題に鑑みてなされたものであり、バックライトの輝度の低下を抑えつつ、発光による発熱に起因して局所的に高温化することを抑制し得る携帯端末を提供することを目的とする。
【課題を解決するための手段】
【０００７】
上記課題を解決するために、本発明に係る携帯端末は、バックライトユニットを含むディスプレイを有する携帯端末であって、前記バックライトユニットは、第１発光部及び第２発光部とを備え、前記第１発光部についての温度の検出を行う検出部と、前記検出部が一定基準を越える温度を検出した場合に、前記第１発光部の発光の抑制を行い、前記抑制に伴って前記第２発光部の発光の制御を行う制御部とを備えることを特徴とする。
【発明の効果】
【０００８】
上述の構成により、本発明に係る携帯端末によれば、バックライトの輝度の低下を抑えつつ、発光による発熱に起因して局所的に高温化することを抑制し得る。
【図面の簡単な説明】
【０００９】
【図１】（ａ）携帯電話機１０の概略を示す斜視図、（ｂ）ＬＣＤ１２１とバックライトユニット１２２とのＡ−Ａ’における断面図
【図２】実施の形態１に係る携帯電話機１０の主要構成を示すブロック図
【図３】携帯電話機１０におけるバックライトユニット１２２を制御する処理のフローチャート
【図４】実施の形態２に係る携帯電話機２０の主要構成を示すブロック図
【図５】携帯電話機２０におけるバックライトユニット１２２を制御する処理のフローチャート
【図６】実施の形態３に係る携帯電話機３０の主要構成を示すブロック図
【図７】携帯電話機３０におけるバックライトユニット１２２を制御する処理のフローチャート
【図８】携帯電話機１０ｂにおけるバックライトユニット１２２を制御する処理のフローチャート
【図９】携帯電話機１０ｃにおけるバックライトユニット１２２を制御する処理のフローチャート
【発明を実施するための形態】
【００１０】
＜１．実施の形態１＞
＜１−１．概要＞
図１（ａ）は、本実施の形態に係る携帯端末である携帯電話機１０の概略を示す斜視図である。なお、第１発光部１２３、第２発光部１２４、及び温度センサ１３１は、携帯電話機１０の筐体内に備えられており、同図では、筐体内部に備えられている構成要素を点線で示す。バックライトユニット１２２の第１発光部１２３及び第２発光部１２４は、それぞれ複数（図１（ａ）の例では５個ずつ）のＬＥＤから構成されるＬＥＤ群２０５ａ、２０５ｂを含み、これらＬＥＤの発光を制御することによって、ＬＣＤ１２１を照明する。なお、「ＬＣＤ」という語は、バックライトユニットを含んだ表示装置全体を指す場合もあるが、ここでは、「ＬＣＤ」は、バックライトユニットを含まないＬＣＤパネルを指すものとする。
【００１１】
表示装置１０１は、第１発光部１２３を点灯する場合、ＬＥＤ群２０５ａのＬＥＤは全て発光し、消灯する場合は、全て発光しないように制御する。そして、第２発光部１２４の点灯及び消灯の場合のＬＥＤ群２０５ｂについてもＬＥＤ群２０５ａと同様に制御する。
第１発光部１２３及び第２発光部１２４は、同図に示す様にＬＣＤ１２１の端部に備えられ、第１発光部１２３はレシーバ１０５に近い端部に、第２発光部１２４は、それに対向する端部、すなわちマイク１０６に近い端部に備えられている。
【００１２】
そして、携帯電話機１０の制御部は、第１発光部１２３を点灯した場合には、第２発光部１２４を消灯し、第２発光部１２４を点灯した場合は、第１発光部１２３を消灯するように制御する。
温度センサ１３１は、第２発光部１２４より第１発光部１２３に近い位置に配置され、一定時間（例えば、１秒）毎に温度を測定する。
【００１３】
一般的に個々のＬＥＤが発光する際の発熱の温度は、外気温以上になる。このため、第１発光部１２３が点灯している場合には、筐体における第１発光部１２３周辺部分が他の部分に比べて局所的に高温化する。
そこで、携帯電話機１０は、温度センサ１３１で、第１発光部１２３近傍部分の温度を測定し、測定温度が予め定められた閾値（例えば、摂氏４５度）を越える温度になると、第１発光部１２３を消灯することによって、温度上昇を抑制し、代わりに第２発光部１２４を点灯することによって、視認性の低下を防ぐ。
【００１４】
以下、このような携帯電話機１０の構成と動作の詳細について説明する。
＜１−２．構成＞
図２に携帯電話機１０の主要構成のブロック図を示す。
同図に示すように、携帯電話機１０は、表示装置１０１、記憶部１０２、検出部１０３、制御部１０４、レシーバ１０５、マイク１０６、通信部１０７、アンテナ１０８を含んで構成される。また、携帯電話機１０は、ハードウェアとして、図示されていないプロセッサ、半導体メモリを含む。携帯電話機１０の各機能ブロックは、ハードウェアとして構成されているか、もしくはプロセッサが半導体メモリに記憶されているコンピュータプログラムを実行することで実現される。
（表示装置１０１）
表示装置１０１は、ＬＣＤ１２１とＬＣＤ１２１の表示面の裏側に配置されたバックライトユニット１２２とを含む。
【００１５】
表示装置１０１は、ＬＣＤ１２１に文字や画像などの表示物から構成される画面を表示することによって、ユーザに情報の提示を行うためのデバイスである。
表示装置１０１は、後述の制御部１０４からユーザに提示する情報に係る表示物の表示の指示を受けて、ＬＣＤ１２１に表示する表示物を更新する機能を備える。
ＬＣＤ１２１に表示された画面は、ＬＣＤ１２１の背面からのバックライトユニット１２２の照明によってユーザから視認される。
【００１６】
図１（ｂ）は、図１（ａ）の携帯電話機１０の表示装置１０１、すなわちＬＣＤ１２１及びバックライトユニット１２２のＡ−Ａ’における断面図である。
バックライトユニット１２２は、エッジライト方式のバックライトユニットであり、図１（ｂ）に示すように、ＬＣＤ１２１から遠い順に反射フィルム２０１、導光板２０２、拡散フィルム２０３、及びプリズムシート２０４を含み、更に導光板２０２の側面には、第１発光部１２３、及び第２発光部１２４が備えられている。
【００１７】
反射フィルム２０１は、白色のＰＥＴ（Polyethylene terephthalate）フィルムであり、導光板２０２の裏側に貼って使用され、光源の光を効率的に導光板に入射させるためのものである。
導光板２０２は、アクリル製の透明板であり、側面から入射した光源からの光を、ＬＣＤ１２１の表示面全体を照らすために、光源の設置している側面の対面方向まで導くためのものである。導光板２０２の、反射フィルム２０１が貼られた面には、反射ドット２０７が形成されている。
【００１８】
反射ドット２０７は、光学的に吸収が少なく反射率の高い顔料（例えば、チタン白（ＴｉＯ２）や沈降性硫酸バリウム（ＢａＳＯ４））とアクリル系バインダーを練り合わせた反射インクを用いて、スクリーン印刷によって形成され、導光板に入射した光を、乱反射させてＬＣＤ１２１の表面方向に導光板全体で均一になるように導くためのものである。
拡散フィルム２０３は、アクリルの光拡散ビーズをコーティングしたＰＥＴフィルムであり、導光板に入射した光源の光をＬＣＤ１２１全面に均一に行き渡らせ、また光源の光ムラを低減するためのものである。
【００１９】
プリズムシート２０４は、アクリル系フォトポリマーによりプリズムパターンを施したＰＥＴフィルムであり、拡散フィルムで均一化した面発光の光の指向性を向上させることによって、特定方向（例えば、ＬＣＤ１２１の表示面に垂直方向）の輝度を向上させるためのものである。
第１発光部１２３と第２発光部１２４とは、どちらの発光部が点灯している場合でも、バックライトユニット１２２の輝度が略同じ輝度となるよう構成されている。具体的には、それぞれの発光部の光源であるＬＥＤ群２０５ａとＬＥＤ群２０５ｂとが、同種のＬＥＤを同じ個数用いて同様の配置になるように構成されている。なお、第１発光部１２３と第２発光部１２４とは、後述のスリープ状態では、どちらの発光部も消灯した状態であるが、スリープ状態以外で携帯電話機１０の電源スイッチがオンされている状態においては、どちらかの発光部が発光している状態である。
【００２０】
カバー２０６ａ、２０６ｂはそれぞれ、ＬＥＤ群２０５ａ、２０５ｂの光が外に漏れないようにして導光板に効率よく光が入射するようにするためのものである。
このような構成により、バックライトユニット１２２は、導光板２０２の端面から入射する光を、面発光の光に変換してＬＣＤ１２１の表示面を裏側から均一に照らすことができる。
（記憶部１０２）
記憶部１０２は、半導体メモリであり、一定基準の温度を示す閾値Ｔｐ＿ｔｈ（例えば、摂氏４５度）と、一定基準以下の所定の温度より低い温度を示す閾値Ｔｐ＿Ｌｏ（例えば、摂氏３５度）とを記憶する記憶領域を有する。
（検出部１０３）
検出部１０３は、温度センサ１３１を含み、温度センサ１３１で測定した温度が閾値Ｔｐ＿ｔｈを越える温度であるか否かを検出し、閾値Ｔｐ＿ｔｈを越える温度を検出した場合に、その旨を制御部１０４に通知する機能を備える。
【００２１】
具体的には、温度センサ１３１は、第１発光部１２３の近傍、すなわちレシーバ１０５近傍に配置され、筐体における第１発光部１２３近傍部分の温度を単位時間毎（例えば１秒）毎に測定し、測定毎に測定温度Ｔｐを検出部１０３に送出する。そして、検出部１０３は、温度センサ１３１から送出された測定温度Ｔｐと記憶部１０２に記憶している閾値Ｔｐ＿ｔｈとを比較し、測定温度Ｔｐが閾値Ｔｐ＿ｔｈを越えている場合には、制御部１０４にその旨を通知する。
【００２２】
更に、検出部１０３は、温度センサ１３１で測定した温度が、閾値Ｔｐ＿Ｌｏ未満の温度であるか否かを検出し、閾値Ｔｐ＿Ｌｏ未満の温度を検出した場合に、その旨を制御部１０４に通知する機能を備える。
具体的には、検出部１０３は、温度センサ１３１から送出された測定温度Ｔｐと記憶部１０２に記憶している閾値Ｔｐ＿Ｌｏとを比較し、測定温度Ｔｐが閾値Ｔｐ＿Ｌｏより低い場合に、制御部１０４にその旨を通知する。
（制御部１０４）
制御部１０４は、検出部１０３から測定温度Ｔｐが閾値Ｔｐ＿ｔｈを越える旨の通知を受けた場合に、ＬＣＤ１２１の表示の更新を待って、ＬＣＤ１２１の表示の更新の際に、第１発光部１２３を消灯し、第２発光部１２４を点灯するよう制御する機能を有する。
【００２３】
また、制御部１０４は、ユーザに提示する情報に係る表示物の表示を表示装置１０１に指示する機能を備える。
制御部１０４は、具体的には、以下のようにして第１発光部１２３を消灯し、第２発光部１２４を点灯するよう制御する。
制御部１０４は、測定温度Ｔｐが閾値Ｔｐ＿ｔｈを越える旨の通知を受けた場合は、表示装置１０１に対して、既にＬＣＤ１２１に表示されている表示物と異なる表示物の表示の指示を行う際に、第１発光部１２３を消灯し、第２発光部１２４を点灯する指示を行う。指示を受けた表示装置１０１は、ＬＣＤ１２１に表示する表示物の更新を行うと共に第１発光部１２３を消灯し、第２発光部１２４を点灯する。
【００２４】
更に、制御部１０４は、検出部１０３から閾値Ｔｐ＿Ｌｏ未満の温度を検出した旨の通知を受けた場合に、ＬＣＤ１２１の表示の更新を待って、ＬＣＤ１２１の表示の更新の際に、第１発光部１２３を点灯し、第２発光部１２４を消灯するように制御する機能を有する。
具体的には、制御部１０４は、閾値Ｔｐ＿Ｌｏ未満の温度を検出した旨の通知を受けた場合は、既にＬＣＤ１２１に表示されている表示物と異なる表示物の表示の指示を表示装置１０１に行う際に、第２発光部１２３を消灯し、第１発光部１２４を点灯する指示を行う。指示を受けた表示装置１０１は、ＬＣＤ１２１に表示する表示物の更新を行うと共に第２発光部１２４を消灯し、第１発光部１２３を点灯する。
【００２５】
なお、制御部１０４は、上記機能以外にも、携帯電話機１０が一定時間操作されていない場合に消費電力を抑えるためのスリープ状態にする機能、情報通信機能、通話機能、及び自機に記憶されている各種アプリケーションの実行制御等、携帯電話機１０の動作全体を制御する機能を備える。
（レシーバ１０５、マイク１０６）
レシーバ１０５は、ユーザが音声通話を行う際の通話相手の音声を発する。
【００２６】
マイク１０６は、音声の入力を受け付ける。例えば、マイク１０６は、ユーザからの通話音声等の入力を受け付ける。
（通信部１０７、アンテナ１０８）
通信部１０７は、アンテナ１０８を介して電話回線やインターネット等の通信網に接続するための無線通信回路である。
【００２７】
通信部１０７は、外部の基地局を介して、他の電話機、パーソナルコンピュータ、及びウェブサーバ等との間で、音声データ、文字データ、画像データ、及び位置データ等を送受信する機能を備える。
＜１−３．動作＞
次に、上記構成を備える携帯電話機１０の動作について説明する。
【００２８】
図３に、携帯電話機１０のバックライトユニット１２２を制御する処理のフローチャートを示す。
携帯電話機１０は、電源スイッチがオンされると、バックライトユニット１２２の光源として第１発光部１２３を点灯し、第２発光部１２４を消灯した状態で起動する。
携帯電話機１０の起動後、検出部１０３の温度センサ１３１は、一定時間（例えば、１秒）毎に温度を測定し、測定温度Ｔｐを検出部１０３に送出する（ステップＳ１０）。
【００２９】
検出部１０３は、記憶部１０２に記憶されている閾値Ｔｐ＿ｔｈを読出し、温度センサ１３１から測定温度Ｔｐを受け取る毎に、測定温度Ｔｐと閾値Ｔｐ＿ｔｈとを比較して、測定温度Ｔｐが閾値Ｔｐ＿ｔｈより大きいか否かを判断する（ステップＳ１１）。測定温度Ｔｐが閾値Ｔｐ＿ｔｈより大きくない場合（ステップＳ１１：ＮＯ）には、ステップＳ１０からの処理を繰り返す。
【００３０】
一方、測定温度Ｔｐが、閾値Ｔｐ＿ｔｈより大きい場合（ステップＳ１１：ＹＥＳ）には、検出部１０３は、制御部１０４に、測定温度Ｔｐが閾値Ｔｐ＿ｔｈを越えたことを示す検出信号を送出する。この検出信号を受け取った制御部１０４は、ＬＣＤ１２１の表示を更新するタイミングであるか否かを判定する（ステップＳ１２）。具体的には、制御部１０４が、表示装置１０１に対して既に表示されている表示物と異なる表示物の表示の指示を行う場合に、ＬＣＤ１２１の表示を更新するタイミングであると判定する。
【００３１】
制御部１０４は、ＬＣＤ１２１の表示を更新するタイミングではないと判定した場合（ステップＳ１２：ＮＯ）には、ＬＣＤ１２１の表示を更新する指示を行うまで、処理待ちを行う。ＬＣＤ１２１に表示される画面に変化がない間に、第１発光部１２３から第２発光部１２４へと光源を切り替えると、ユーザは、光源の切り替えの際に起こり得る輝度変化による違和感を覚えるおそれがある。そこで、光源である発光部の切り替えの際の輝度変化によってユーザが感じ得る違和感を低減するために、画面を更新するタイミングまで待って、画面を更新する際に発光部を切り替える処理を行う。画面を更新するタイミングまで待って発光部の切り替え処理を行うことで、発光部の切り替えの際の輝度変化が、画面の変化に紛れるので、ユーザが感じ得る違和感を低減できる。
【００３２】
一方、ＬＣＤ１２１の表示を更新するタイミングであると判定した場合（ステップＳ１２：ＹＥＳ）には、ＬＣＤ１２１の表示を更新する際に、制御部１０４は、表示装置１０１に第１発光部１２３を消灯させ、第２発光部１２４を点灯させる指示を行い、表示装置１０１は、第１発光部１２３を消灯し、第２発光部１２４を点灯する（ステップＳ１３）。
以上の処理により、点灯する発光部を第１発光部１２３から第２発光部１２４に切り替える。
【００３３】
次に、検出部１０３の温度センサ１３１は、温度を測定し、測定温度Ｔｐを検出部１０３に送出する（ステップＳ１４）。
検出部１０３は、記憶部１０２に記憶されている閾値Ｔｐ＿Ｌｏを読出し、温度センサ１３１から測定温度Ｔｐを受け取る毎に、測定温度Ｔｐと閾値Ｔｐ＿Ｌｏとを比較して、測定温度Ｔｐが閾値Ｔｐ＿Ｌｏより低いか否かを判断する（ステップＳ１５）。測定温度Ｔｐが閾値Ｔｐ＿Ｌｏ以上の場合（ステップＳ１５：ＮＯ）には、ステップＳ１４からの処理を繰り返す。
【００３４】
一方、測定温度Ｔｐが、閾値Ｔｐ＿Ｌｏより低い場合（ステップＳ１５：ＹＥＳ）には、検出部１０３は、制御部１０４に、測定温度Ｔｐが閾値Ｔｐ＿Ｌｏより低いことを示す検出信号を送出する。この検出信号を受け取った制御部１０４は、ＬＣＤ１２１の表示を更新するタイミングであるか否かを判定する（ステップＳ１６）。判定の方法は、ステップＳ１２と同様である。
【００３５】
制御部１０４は、ＬＣＤ１２１の表示を更新するタイミングではないと判定した場合（ステップＳ１６：ＮＯ）には、ＬＣＤ１２１の表示を更新するタイミングになるまで、処理待ちを行う。
一方、ＬＣＤ１２１の表示を更新するタイミングであると判定した場合（ステップＳ１６：ＹＥＳ）には、ＬＣＤ１２１の表示を更新する際に、制御部１０４は、表示装置１０１に第２発光部１２４を消灯させ、第１発光部１２３を点灯させる指示を行い、表示装置１０１は、第２発光部１２３を消灯し、第１発光部１２４を点灯する（ステップＳ１７）。
【００３６】
以降、ステップＳ１０から処理を繰り返すことによって、温度変化に応じて、発光させる発光部を切り替える。
＜２．実施の形態２＞
＜２−１．概要＞
実施の形態１の携帯電話機１０では、温度センサ１３１で測定した温度が、一定基準の温度を越える場合に、発光する発光部を第１発光部１２３から第２発光部１２４へ切り替えたが、実施の形態２の携帯電話機２０は、更に、通話の開始を検知すると、温度センサ１３１で測定した温度が一定基準の温度を越えるか否かにかかわらず、発光する発光部を第１発光部１２３から第２発光部１２４へ切り替える。このように制御することで、携帯電話機２０は、通話中に、第１発光部１２３の発光による発熱に起因して筐体におけるレシーバ１０５近傍部分が高温化することを抑制する。
【００３７】
以下、携帯電話機２０の構成と動作について説明する。
＜２−２．構成＞
図４に携帯電話機２０の主要構成のブロック図を示す。
携帯電話機２０は、携帯電話機１０とほぼ同じ構成である。携帯電話機２０と携帯電話機１０との違いは、携帯電話機２０が、通話の開始を検知する通話検知部１０９を更に備え、制御部１０４ｂが、制御部１０４の機能に加えて、通話検知部１０９からの通話を検知した旨を示す検知信号に基づいて、第１発光部１２３及び第２発光部１２４の発光制御を行う機能を備える点である。
【００３８】
通話検知部１０９は、通話の開始を検知すると、通話の開始を検知した旨を示す検知信号を制御部１０４ｂに送出する機能を備える。具体的には、ユーザが携帯電話機２０の通話開始ボタンを押した（オフフック状態）か否かを判断し、通話開始ボタンを押したと判断した場合に、通話の開始を検知したことを示す検知信号を制御部１０４ｂに送出する。
また、通話の終了を検知すると、通話の終了を検知した旨を示す検知信号を制御部１０４ｂに送出する機能を備える。具体的には、ユーザが携帯電話機２０の通話終了ボタンを押した（オンフック状態）か否かを検知し、通話終了ボタンと押したと判断した場合に、通話の終了を検知したことを示す検知信号を制御部１０４ｂに送出する。
【００３９】
制御部１０４ｂは、通話検知部１０９から通話の開始を検知したことを示す検知信号を受け取ったら、検出部１０３からの一定基準を越える温度を検出したことを示す検出信号の有無にかかわらず、第１発光部１２３を消灯し、代わりに第２発光部１２４を点灯するように制御する機能を備える。
なお、制御部１０４ｂ及び通話検知部１０９の機能は、携帯電話機２０のプロセッサが半導体メモリに記憶されているコンピュータプログラムを実行することで実現される。
【００４０】
＜２−３．動作＞
次に、上記構成を備える携帯電話機２０の動作について説明する。
図５に携帯電話機２０のバックライトユニット１２２を制御する処理のフローチャートを示す。
携帯電話機２０は、携帯電話機１０と同様に、電源スイッチがオンされると、バックライトユニット１２２の光源として第１発光部１２３を点灯し、第２発光部１２４を消灯した状態で起動する。
【００４１】
携帯電話機２０の起動後、通話検知部１０９は、ユーザが、通話開始ボタンを押したか否かを判断することによって通話の開始か否かを検知する（ステップＳ２０）。
通話検知部１０９は、通話の開始を検知した場合（ステップＳ２０：ＹＥＳ）には、制御部１０４ｂに、通話が開始された旨を示す検知信号を送出し、検知信号を受け取った制御部１０４ｂは、表示装置１０１に第１発光部１２３を消灯させ、第２発光部１２４を点灯させる指示を行い、表示装置１０１は、第１発光部１２３を消灯し、第２発光部１２４を点灯する（ステップＳ２５）。
【００４２】
一方、通話の開始を検知しない場合（ステップＳ２０：ＮＯ）には、携帯電話機１０と同様に、検出部１０３の温度センサ１３１は、温度を測定し、測定温度Ｔｐを検出部１０３に送出する（ステップＳ２１）。
検出部１０３は、記憶部１０２に記憶されている閾値Ｔｐ＿ｔｈを読出し、温度センサ１３１から測定温度Ｔｐを受け取る毎に、測定温度Ｔｐと読み出した閾値Ｔｐ＿ｔｈとを比較して、測定温度Ｔｐが閾値Ｔｐ＿ｔｈより大きいか否かを判断する（ステップＳ２２）。測定温度Ｔｐが閾値Ｔｐ＿ｔｈより大きくない場合（ステップＳ２２：ＮＯ）には、ステップＳ２０からの処理を繰り返す。
【００４３】
一方、測定温度Ｔｐが、閾値Ｔｐ＿ｔｈより大きい場合（ステップＳ２２：ＹＥＳ）には、検出部１０３は、制御部１０４ｂに、測定温度Ｔｐが閾値Ｔｐ＿ｔｈを越えたことを示す検出信号を送出する。
次に、通話検知部１０９は、通話が開始されたか否かを検知する（ステップＳ２３）。通話の開始を検知した場合（ステップＳ２３：ＹＥＳ）には、ステップＳ２５の処理を行い発光させる発光部を切り替える。
【００４４】
一方、通話が開始されていない場合（ステップＳ２３：ＮＯ）には、検出信号を受け取った制御部１０４ｂは、ＬＣＤ１２１の表示を更新するタイミングであるか否かを判定する（ステップＳ２４）。なお、ステップＳ２４の処理の方法は、既に説明した図３のステップＳ１２及びステップＳ１６の処理の方法と同様である。制御部１０４ｂは、ＬＣＤ１２１の表示を更新するタイミングではないと判定した場合（ステップＳ２４：ＮＯ）には、ステップＳ２３からの処理を繰り返す。
【００４５】
一方、ＬＣＤ１２１の表示を更新するタイミングであると判定した場合（ステップＳ２４：ＹＥＳ）には、制御部１０４ｂは、ステップＳ２５の処理を行い発光させる発光部を切り替える。以上の処理により、点灯する発光部を第１発光部１２３から第２発光部１２４に切り替える。
次に、検出部１０３の温度センサ１３１は、温度を測定し、測定温度Ｔｐを検出部１０３に送出する（ステップＳ２６）。
【００４６】
検出部１０３は、記憶部１０２に記憶されている閾値Ｔｐ＿Ｌｏを読出し、温度センサ１３１から測定温度Ｔｐを受け取る毎に、測定温度Ｔｐと閾値Ｔｐ＿Ｌｏとを比較して、測定温度Ｔｐが閾値Ｔｐ＿Ｌｏより低いか否かを判断する（ステップＳ２７）。測定温度Ｔｐが閾値Ｔｐ＿Ｌｏ以上の場合（ステップＳ２７：ＮＯ）には、ステップＳ２６からの処理を繰り返す。
【００４７】
一方、測定温度Ｔｐが、閾値Ｔｐ＿Ｌｏより低い場合（ステップＳ２７：ＹＥＳ）には、検出部１０３は、制御部１０４ｂに、測定温度Ｔｐが閾値Ｔｐ＿Ｌｏより低いことを示す検出信号を送出する。この検出信号を受け取った制御部１０４ｂは、通話中であるか否かを判定する（ステップＳ２８）。具体的には、制御部１０４ｂは、通話の開始を検知した旨を示す検知信号を通話検知部１０９から受け取った後、通話の終了を検知した旨を示す検知信号を通話検知部１０９から受け取るまでは、通話中であると判定する。
【００４８】
制御部１０４ｂは、通話中であると判定した場合（ステップＳ２８：ＹＥＳ）には、通話が終了するまで処理待ちを行う。
一方、通話中でないと判定した場合（ステップＳ２８：ＮＯ）には、制御部１０４ｂは
ＬＣＤ１２１の表示を更新するタイミングであるか否かを判定する（ステップＳ２９）。ステップＳ２９の処理の方法は、ステップＳ２４の処理の方法と同様である。
【００４９】
制御部１０４は、ＬＣＤ１２１の表示を更新するタイミングではないと判定した場合（ステップＳ２９：ＮＯ）には、ＬＣＤ１２１の表示を更新するタイミングまで処理待ちを行う。
一方、ＬＣＤ１２１の表示を更新するタイミングであると判定した場合（ステップＳ２９：ＹＥＳ）には、ＬＣＤ１２１の表示を更新する際に、制御部１０４ｂは、表示装置１０１に第２発光部１２４を消灯させ、第１発光部１２３を点灯させる指示を行い、表示装置１０１は、第２発光部１２４を消灯させ、第１発光部１２３を点灯させる（ステップＳ３０）。
【００５０】
以降、ステップＳ２０から処理を繰り返すことによって、温度変化に応じて、発光させる発光部を切り替える。
以上の処理により、携帯電話機２０は、通話の開始を検知すると、ＬＣＤ１２１の画面の更新にかかわらず、第１発光部１２３を消灯して、筐体におけるレシーバ１０５近傍部分の温度上昇を抑制し、代わりに第２発光部１２４を点灯する。これにより、通話中に、レシーバ１０５近傍部分の温度が上昇することを抑制でき、通話の際に、ユーザが耳をレシーバ１０５に接触させたときに感じ得る不快な違和感を低減し得る。そして、通話が終了して、第１発光部１２３近傍の温度、すなわちレシーバ１０５近傍の温度が、所定の温度以下である場合には、消灯していた第１発光部１２３を点灯させ、点灯していた第２発光部１２４を消灯させることによって、第２発光部１２４近傍の温度が局所的に高温化することを抑制できる。
＜３．実施の形態３＞
＜３−１．概要＞
上述の携帯電話機１０では、温度センサ１３１で温度を測定し、測定した温度が、閾値Ｔｐ＿ｔｈを越えるか否かを判断して発光させる発光部を切り替えた。
【００５１】
しかし、ＬＥＤの発光時間と発光による発熱とは、相関性があるので、温度センサ１３１を用いなくとも、発光部の点灯時間に基づいて発熱による温度上昇を推定することができる。実施の形態３の携帯電話機３０では、このことを利用して、温度センサ１３１を用いず、第１発光部及び第２発光部の点灯時間に基づいて温度上昇を推定して第１発光部１２３及び第２発光部１２４の発光の制御を行い、局所的に高温化することを抑制する。
【００５２】
以下、携帯電話機３０の構成と動作について説明する。
＜３−２．構成＞
図６に携帯電話機３０の主要構成のブロック図を示す。
携帯電話機３０は、携帯電話機１０とほぼ同じ構成である。携帯電話機３０と携帯電話機１０との違いは、携帯電話機３０の検出部１０３ｂが、温度センサ１３１ではなく点灯時間計時部１３２を備え、検出部１０３ｂが、点灯時間に基づいて温度上昇を推定し、一定基準を越える温度であるか否かを判定する点である。また、記憶部１０２ｂは、一定基準の温度を示す閾値ではなく、一定基準の温度を越えたとみなす点灯時間の閾値Ｔ＿ｔｈ（例えば、５分）を記憶する点で異なる。更に、制御部１０４ｃは、一定基準の温度を越える旨の通知を受けた場合に、第１発光部１２３と第２発光部１２４の内、点灯している発光部を消灯し、消灯している発光部を点灯するように切り替える機能を備える。
【００５３】
点灯時間計時部１３２は、時計を含み、第１発光部１２３及び第２発光部１２４の点灯が開始された時点からの点灯時間を計時する機能を備える。
検出部１０３ｂは、記憶部１０２ｂから点灯時間の閾値Ｔ＿ｔｈを読出し、点灯時間計時部１３２で計時した点灯時間が、点灯時間の閾値Ｔ＿ｔｈを越えた場合に、一定基準の温度を越えたとみなして、制御部１０４ｃに一定基準を越える温度を検出した旨の検出信号の送信を行う。
【００５４】
なお、検出部１０３ｂ、制御部１０４ｃ、及び点灯時間計時部１３２の各機能は、携帯電話機３０のプロセッサが半導体メモリに記憶されているコンピュータプログラムを実行することで実現される。
＜３−３．動作＞
次に、上記構成を備える携帯電話機３０の動作について説明する。
【００５５】
図７に携帯電話機３０のバックライトユニット１２２を制御する処理のフローチャートを示す。
携帯電話機３０は、携帯電話機１０と同様に、電源スイッチがオンされると、バックライトユニット１２２の光源として第１発光部１２３を点灯し、第２発光部１２４を消灯した状態で起動する。
【００５６】
具体的には、携帯電話機３０の起動時に、点灯時間計時部１３２は、点灯時間Ｔを初期化、すなわち点灯時間Ｔの値を０にし（ステップＳ４０）、制御部１０４ｃは、バックライトユニット１２２に第１発光部１２３を点灯し、第２発光部１２４を消灯する指示を行い、バックライトユニット１２２は、第１発光部１２３を点灯し、第２発光部１２４を消灯する。そして、点灯時間計時部１３２は、点灯時間Ｔの計時を開始する（ステップＳ４１）。
【００５７】
次に、検出部１０３ｂは、点灯時間計時部１３２で計時した点灯時間Ｔと、記憶部１０２ｂに記憶している点灯時間の閾値Ｔ＿ｔｈとを比較する（ステップＳ４２）。点灯時間Ｔが閾値Ｔ＿ｔｈ以下の場合（ステップＳ４２：ＮＯ）には、点灯時間Ｔが閾値Ｔ＿ｔｈより長くなるまで処理待ちを行う。
一方、点灯時間Ｔが閾値Ｔ＿ｔｈより長い場合（ステップＳ４２：ＹＥＳ）には、検出部１０３ｂは、制御部１０４ｃに、一定基準を越える温度を検出したことを示す検出信号を送出する。この検出信号を受け取った制御部１０４ｃは、ＬＣＤ１２１の表示を更新するタイミングであるか否かを判定する（ステップＳ４３）。なお、ステップＳ４３の処理の方法は、既に説明した図３のステップＳ１２及びステップＳ１６の処理の方法と同様である。制御部１０４ｃは、ＬＣＤ１２１の表示を更新するタイミングではないと判定した場合（ステップＳ４３：ＮＯ）には、ＬＣＤ１２１の表示を更新するタイミングまで処理待ちを行う。
【００５８】
一方、制御部１０４ｃが、ＬＣＤ１２１の表示を更新するタイミングであると判定した場合（ステップＳ４３：ＹＥＳ）には、点灯時間計時部１３２は、点灯時間Ｔを初期化（Ｔ＝０）する（ステップＳ４４）。そして、制御部１０４ｃは、ＬＣＤ１２１の表示を更新する際に、表示装置１０１に第１発光部１２３を消灯させ、第２発光部１２４を点灯させる指示を行い、表示装置１０１は、第１発光部１２３を消灯し、第２発光部１２４を点灯する。第２発光部１２４が点灯したら、点灯時間計時部１３２は、点灯時間Ｔの計時を開始する（ステップＳ４５）。以上の処理により、点灯する発光部を第１発光部１２３から第２発光部１２４に切り替える。
【００５９】
次に、検出部１０３ｂは、点灯時間計時部１３２で計時した点灯時間Ｔと、記憶部１０２ｂに記憶している点灯時間の閾値Ｔ＿ｔｈとを比較する（ステップＳ４６）。点灯時間Ｔが閾値Ｔ＿ｔｈ以下の場合（ステップＳ４６：ＮＯ）には、点灯時間Ｔが閾値Ｔ＿ｔｈより長くなるまで処理待ちを行う。
一方、点灯時間Ｔが閾値Ｔ＿ｔｈより長い場合（ステップＳ４６：ＹＥＳ）には、検出部１０３ｂは、制御部１０４ｃに、一定基準を越える温度を検出したことを示す検出信号を送出する。この検出信号を受け取った制御部１０４ｃは、ＬＣＤ１２１の表示を更新するタイミングであるか否かを判定する（ステップＳ４７）。なお、ステップＳ４７の処理の方法は、ステップＳ４３の処理の方法と同様である。
【００６０】
制御部１０４ｃは、ＬＣＤ１２１の表示を更新するタイミングではないと判定した場合（ステップＳ４７：ＮＯ）には、ＬＣＤ１２１の表示を更新するタイミングまで処理待ちを行う。
一方、制御部１０４ｃが、ＬＣＤ１２１の表示を更新するタイミングであると判定した場合（ステップＳ４７：ＹＥＳ）には、ステップＳ４０からの処理を繰り返し点灯する発光部を切り替える。
【００６１】
以上の処理により、携帯電話機３０は、第１発光部１２３及び第２発光部１２４のそれぞれの点灯時間に基づいて、点灯からの点灯時間が予め定められた閾値を越える場合に、点灯している発光部を消灯し、代わりに、消灯していた発光部を点灯する。これにより、温度センサを用いなくとも、一定時間毎に発光する発光部を切り替えることができるので、発光による発熱に起因して局所的に高温化することを抑制し得る。
＜４．変形例１＞
＜４−１．概要＞
実施の形態１に係る携帯電話機１０では、発光部の切り替えの際のバックライトユニット１２２の輝度変化によってユーザが感じ得る違和感を低減するために、一定基準の温度を越える温度を検出した場合における点灯する発光部の切り替えを、ＬＣＤ１２１の表示の更新を待って、更新のタイミングに合わせて行った。しかし、点灯する発光部の切り替えはこの方法に限らない。点灯する発光部の切り替えは、例えば、ＬＣＤ１２１の表示の更新を待たずに行ってもよいし、また、一定基準の温度を越える温度を検出した後、画面の更新が一定時間なければ、一定時間経過後に行ってもよい。
【００６２】
また、点灯する発光部の切り替えを待っている間に、発光による発熱のために温度が更に上昇することも考えられるので、一定基準の温度よりも更に高い温度（例えば、摂氏５０度）を検出した場合には、ＬＣＤ１２１の表示の更新を待たずに、点灯する発光部の切り替えを行うようにしてもよい。
以下、このように、一定基準の温度よりも更に高い温度を検出した場合に、ＬＣＤ１２１の表示の更新を待たずに、点灯する発光部を切り替える機能を備えた携帯電話機１０ｂについて説明する。
【００６３】
＜４−２．構成＞
携帯電話機１０ｂの構成は、基本的に携帯電話機１０と同じ構成であるので説明の便宜上、携帯電話機１０と同じ符号を用いて説明する。携帯電話機１０ｂと携帯電話機１０との違いは、携帯電話機１０ｂの検出部１０３が、携帯電話機１０の検出部の機能に加えて一定基準の温度より高い温度を検出したか否かを判定する機能を備える点と、制御部１０４が一定基準の温度より高い温度を検出した場合に、ＬＣＤ１２１の表示の更新を待たずに第１発光部の発光を抑制制御する機能を備える点である。また、記憶部１０２が、更に、一定基準の温度より更に高い所定の温度を示す閾値Ｔｐ＿Ｈｉ（例えば、摂氏５０度）を記憶する記憶領域を有する点で携帯電話機１０と異なる。
【００６４】
具体的には、携帯電話機１０ｂの検出部１０３は、携帯電話機１０の検出部の機能に加え、温度センサ１３１で測定した測定温度Ｔｐと、記憶部１０２に記憶している閾値Ｔｐ＿Ｈｉとを比較し、測定温度Ｔｐが閾値Ｔｐ＿Ｈｉよりも高い場合に、制御部１０４に測定温度Ｔｐが閾値Ｔｐ＿Ｈｉよりも高いことを示す検出信号を送出する機能を備える。
そして、制御部１０４は、携帯電話機１０の制御部の機能に加え、測定温度Ｔｐが閾値Ｔｐ＿Ｈｉよりも高いことを示す検出信号を受け取った場合には、ＬＣＤ１２１の表示の更新を待たずに、表示装置１０１に、第１発光部を消灯し、第２発光部を点灯する指示を行う機能を備える。
【００６５】
＜４−３．動作＞
図８に、携帯電話機１０ｂにおけるバックライトユニット１２２を制御する処理のフローチャートを示す。
携帯電話機１０ｂは、電源スイッチがオンされると、バックライトユニット１２２の光源として第１発光部１２３を点灯し、第２発光部１２４を消灯した状態で起動する。
【００６６】
携帯電話機１０ｂの起動後、検出部１０３の温度センサ１３１は、一定時間（例えば、１秒）毎に温度を測定し、測定温度Ｔｐを検出部１０３に送出する（ステップＳ５０）。
検出部１０３は、記憶部１０２に記憶されている閾値Ｔｐ＿Ｈｉを読出し、温度センサ１３１から測定温度Ｔｐを受け取る毎に、測定温度Ｔｐと閾値Ｔｐ＿Ｈｉとを比較して、測定温度Ｔｐが閾値Ｔｐ＿Ｈｉを越えるか否かを判断する（ステップＳ５１）。検出部１０３は、測定温度Ｔｐが閾値Ｔｐ＿Ｈｉを越えると判定した場合（ステップＳ５１：ＹＥＳ）には、制御部１０４に、測定温度Ｔｐが閾値Ｔｐ＿Ｈｉを越えたことを示す検出信号を送出し、この検知信号を受け取った制御部１０４は、表示装置１０１に第１発光部１２３を消灯させ、第２発光部１２４を点灯させる指示を行い、表示装置１０１は、第１発光部１２３を消灯し、第２発光部１２４を点灯する（ステップＳ５６）。
【００６７】
一方、検出部１０３は、測定温度Ｔｐが閾値Ｔｐ＿Ｈｉを越えない場合（ステップＳ５１：ＮＯ）には、次に記憶部１０２に記憶されている閾値Ｔｐ＿ｔｈを読出し、測定温度Ｔｐと比較して、測定温度Ｔｐが閾値Ｔｐ＿ｔｈを越えるか否かを判断する（ステップＳ５２）。測定温度Ｔｐが閾値Ｔｐ＿ｔｈを越えない場合（ステップＳ５２：ＮＯ）には、ステップＳ５０からの処理を繰り返す。
【００６８】
測定温度Ｔｐが、閾値Ｔｐ＿ｔｈより大きい場合（ステップＳ５２：ＹＥＳ）には、検出部１０３は、制御部１０４に、測定温度Ｔｐが閾値Ｔｐ＿ｔｈを越えたことを示す検出信号を送出する。この検出信号を受け取った制御部１０４は、ＬＣＤ１２１の表示を更新するタイミングであるか否かを判定する（ステップＳ５３）。なお、ステップＳ５３の処理の方法は、既に説明した図３のステップＳ１２及びステップＳ１６の処理の方法と同様である。
【００６９】
制御部１０４が、ＬＣＤ１２１の表示を更新するタイミングであると判定した場合（ステップＳ５３：ＹＥＳ）には、ステップＳ５６の処理を行う。
一方、制御部１０４が、ＬＣＤ１２１の表示を更新するタイミングではないと判定した場合（ステップＳ５３：ＮＯ）には、温度センサ１３１は、温度を測定し、測定温度Ｔｐを検出部１０３ｃに送出する（ステップＳ５４）。
【００７０】
検出部１０３は、測定温度Ｔｐが閾値Ｔｐ＿Ｈｉを越えたか否かを判定する（ステップＳ５５）。測定温度Ｔｐが閾値Ｔｐ＿Ｈｉを越えてないと判定した場合（ステップＳ５５：ＮＯ）、ステップＳ５３から処理を繰り返す。
一方、検出部１０３は、測定温度Ｔｐが閾値Ｔｐ＿Ｈｉを越えたと判定した場合（ステップＳ５５：ＹＥＳ）、制御部１０４に、測定温度Ｔｐが閾値Ｔｐ＿Ｈｉを越えたことを示す検出信号を送出し、この検出信号を受け取った制御部１０４は、ステップＳ５６の処理を行う。以上の処理により、点灯する発光部を第１発光部１２３から第２発光部１２４に切り替える。
【００７１】
次に、検出部１０３ｃの温度センサ１３１は、温度を測定し、測定温度Ｔｐを検出部１０３に送出する（ステップＳ５７）。
検出部１０３は、記憶部１０２に記憶されている閾値Ｔｐ＿Ｌｏを読出し、温度センサ１３１から測定温度Ｔｐを受け取る毎に、測定温度Ｔｐと閾値Ｔｐ＿Ｌｏとを比較して、測定温度Ｔｐが閾値Ｔｐ＿Ｌｏより低いか否かを判断する（ステップＳ５８）。測定温度Ｔｐが閾値Ｔｐ＿Ｌｏ以上の場合（ステップＳ５８：ＮＯ）には、ステップＳ５７からの処理を繰り返す。
【００７２】
一方、測定温度Ｔｐが、閾値Ｔｐ＿Ｌｏより低い場合（ステップＳ５８：ＹＥＳ）には、検出部１０３ｃは、制御部１０４に、測定温度Ｔｐが閾値Ｔｐ＿Ｌｏより低いことを示す検出信号を送出する。この検出信号を受け取った制御部１０４は、ＬＣＤ１２１の表示を更新するタイミングであるか否かを判定する（ステップＳ５９）。なお、ステップＳ５９の処理の方法は、ステップＳ５３の処理の方法と同様である。
【００７３】
制御部１０４は、ＬＣＤ１２１の表示を更新するタイミングではないと判定した場合（ステップＳ５９：ＮＯ）には、ＬＣＤ１２１の表示を更新するタイミングまで処理待ちを行う。
一方、ＬＣＤ１２１の表示を更新するタイミングであると判定した場合（ステップＳ５９：ＹＥＳ）には、ＬＣＤ１２１の表示を更新する際に、制御部１０４は、表示装置１０１に第２発光部１２４を消灯させ、第１発光部１２３を点灯させる指示を行い、表示装置１０１は、第２発光部１２３を消灯し、第１発光部１２４を点灯する（ステップＳ６０）。
【００７４】
以降、ステップＳ５０から処理を繰り返すことによって、温度変化に応じて、発光させる発光部を切り替える。
以上の処理により、携帯電話機１０ｂは、携帯電話機１０の機能に加えて、一定基準の温度より更に高い温度を検出した場合には、ＬＣＤ１２１の表示の切り替えを待たずに、発光する発光部を迅速に切り替えることができる。これにより、発光による発熱に起因して局所的に高温化することを抑制し得る。
＜５．変形例２＞
＜５−１．概要＞
実施の形態１に係る携帯電話機１０は、一定基準の温度を越えた場合に、ＬＣＤ１２１の表示の更新のタイミングを待って、第１発光部１２３を消灯し、第２発光部１２４を点灯した。しかし、発光部の消灯及び点灯はこの方法に限らない。点灯する発光部の切り替えを行えれば、どのようなタイミングで切り替えても構わない。例えば、時間経過に従って徐々に第１発光部１２３のＬＥＤ群２０５ａへ供給する電流量を０になるまで減少させて消灯し、代わりに、第２発光部１２４のＬＥＤ群２０５ｂへ供給する電流量を０から、第１発光部１２３のＬＥＤ群２０５ａに対して減少させる電流量に相当する電流量を増加させて点灯することによって、点灯する発光部を切り替えてもよい。
【００７５】
この処理により、バックライトユニット１２２の輝度を一定輝度範囲に保ちながら点灯する発光部を切り替えることができるので、ＬＣＤ１２１の表示の更新を待たなくても、点灯する発光部を切り替える際にユーザが感じ得る輝度変化の違和感を低減して切り替え得る。
以下、このような制御を行う携帯電話機１０ｃについて説明する。
【００７６】
＜５−２．構成＞
携帯電話機１０ｃの構成は、基本的に携帯電話機１０と同じ構成であるので説明の便宜上、携帯電話機１０と同じ符号を用いて説明する。携帯電話機１０ｃと携帯電話機１０との違いは、携帯電話機１０ｃの制御部１０４が一定基準の温度より高い温度を検出した場合に、第１発光部１２３のＬＥＤ群２０５ａに供給する電流量を時間経過に伴って徐々に０まで減少させ、その代わりに、減少させた電流量に相当する電流量を第２発光部１２４のＬＥＤ群２０５ｂに供給する機能を備える点である。
【００７７】
＜５−３．動作＞
図９に、携帯電話機１０ｃにおけるバックライトユニット１２２を制御する処理のフローチャートを示す。
携帯電話機１０ｃは、電源スイッチがオンされると、バックライトユニット１２２の光源として第１発光部１２３を点灯し、第２発光部１２４を消灯した状態で起動する。
【００７８】
携帯電話機１０ｃの起動後、検出部１０３の温度センサ１３１は、一定時間（例えば、１秒）毎に温度を測定し、測定温度Ｔｐを検出部１０３に送出する（ステップＳ７０）。
検出部１０３は、記憶部１０２に記憶されている閾値Ｔｐ＿ｔｈを読出し、測定温度Ｔｐと比較して、測定温度Ｔｐが閾値Ｔｐ＿ｔｈより大きいか否かを判断する（ステップＳ７１）。測定温度Ｔｐが閾値Ｔｐ＿ｔｈより大きくない場合（ステップＳ７１：ＮＯ）には、ステップＳ７０からの処理を繰り返す。
【００７９】
測定温度Ｔｐが、閾値Ｔｐ＿ｔｈより大きい場合（ステップＳ７１：ＹＥＳ）には、検出部１０３は、制御部１０４に、測定温度Ｔｐが閾値Ｔｐ＿ｔｈを越えたことを示す検出信号を送出する。この検出信号を受け取った制御部１０４は、第１発光部１２３のＬＥＤ群２０５ａへ供給する電流量Ｉ１を予め定めた電流量ΔＩ（例えば、切り替え処理前の電流量Ｉ１の１／２０に相当する電流量）分減少させ（ステップＳ７２）、第２発光部１２４のＬＥＤ群２０５ｂへ供給する電流量Ｉ２を電流量ΔＩに相当する電流量分増加させる（ステップＳ７３）。
【００８０】
次に、制御部１０４は、電流量Ｉ１が０より大きいか否かを判定する（ステップＳ７４）。電流量Ｉ１が０より大きい場合（ステップＳ７４：ＹＥＳ）、ステップＳ７２からの処理を一定時間（例えば、０．０５秒）毎に繰り返す。なお、ステップＳ７２で、電流量Ｉ１から電流量ΔＩを減じた電流量の値が０より小さくなる場合には、電流量Ｉ１を０にする。０．０５秒毎に、測定温度Ｔｐが閾値Ｔｐ＿ｔｈを越える前に第１発光部１２３のＬＥＤ群２０５ａに供給していた電流量の１／２０の電流量ずつ減じていくと、１秒間で第１発光部１２３のＬＥＤ群２０５ａへ供給する電流量が０になり、代わりに第２発光部１２４のＬＥＤ群２０５ｂへは、第１発光部１２３のＬＥＤ群２０５ａへ供給していた電流量に相当する電流量が供給されることになる。これにより、第１発光部１２３から第２発光部１２４へ光源の切り替えが完了し（ステップＳ７４：ＮＯ）、処理を終了する。
【００８１】
なお、上記説明で用いた０．０５秒毎や電流量の１／２０は例示であり、第１発光部１２３の温度上昇が抑制できるように、時間経過と共に徐々に第１発光部１２３のＬＥＤ群２０５ａへの電流量が減少し、代わりに第２発光部１２４のＬＥＤ群２０５ｂへの電流量が増加できればどのような時間間隔や電流量の減少（増加）量であってもよい。
また、第１発光部１２３が点灯し、第２発光部１２４が消灯している状態から、第１発光部１２３が消灯し、第２発光部１２４が点灯する状態に切り替える例で説明したが、同様の方法を、第１発光部１２３が消灯し、第２発光部１２４が点灯している状態から、第１発光部１２３が点灯し、第２発光部１２４が消灯する状態に切り替える場合に用いてもよい。
＜６．その他の変形例＞
以上、本発明の一態様である携帯端末として、携帯電話機を例に説明したが、例示した携帯電話機を以下のように変形することも可能であり、本発明が上記の実施の形態で示した通りの携帯端末に限られないことは勿論である。
【００８２】
（１）実施の形態１に係る携帯電話機１０では、一定基準の温度を越える温度を検出した場合に、第１発光部１２３を消灯し、第２発光部１２４を点灯する制御を行ったが、発光部の発光の制御は、完全に点灯及び消灯する制御に限らない。一定基準の温度を越えた場合に、発光による発熱が抑制されるように制御できればよい。例えば、第１発光部１２３を完全に消灯するのではなく、第１発光部１２３のＬＥＤ群２０５ａに供給する電流量を減少させることによって、発熱を抑制するようにしてもよい。このとき、バックライトユニット１２２の輝度が低下しないように、第１発光部１２３のＬＥＤ群２０５ａへ供給する電流量から減少させる電流量分に相当する電流量を第２発光部１２４のＬＥＤ群２０５ｂに供給する。このように制御することによって、第１発光部１２３の発熱による温度上昇も抑制され、第２発光部１２４の発光による発熱についても、完全に点灯する場合に比べて、抑制することができる。
【００８３】
また、携帯電話機２０及び携帯電話機３０においても完全に点灯及び消灯する制御ではなく、上記の方法と同様の方法で、第１発光部１２３のＬＥＤ群２０５ａ及び第２発光部１２４のＬＥＤ群２０５ｂへ供給する電流量を制御することによって、発熱による温度上昇を制御するようにしてもよい。
（２）実施の形態１に係る携帯電話機１０では、温度センサ１３１で測定した第１発光部１２３近傍の温度が予め定められた閾値を越える温度である場合に、一定基準の温度を越える温度を検出したと判断したが、一定基準の温度を越えたか否かの判断はこの判断に限らない。携帯電話機１０において局所的に温度が高いか否かを判断できればよく、一定基準を越える温度であるか否かの判断は、第１発光部１２３近傍の温度が他の部分に比べて局所的に高いか否かを基準に判断してもよい。例えば、更に第２発光部１２４近傍の温度を測定する温度センサを備え、第２発光部１２４近傍の温度に比べて第１発光部１２３近傍の温度が、所定の温度差以上高いか否かに基づいて一定基準の温度を越えたか否かを判断してもよい。具体的には、例えば、第１発光部１２３近傍の温度が、第２発光部１２４近傍の温度に比べて所定の温度差（例えば、摂氏５度）以上高い場合に、第１発光部１２３を消灯して、代わりに第２発光部１２４を点灯するように制御すればよい。これにより、第１発光部１２３は発光しないので発熱は起こらず、一方、第２発光部１２４に発光による発熱が生じ、第１発光部１２３近傍と第２発光部１２４近傍の温度差は縮小するので、局所的に高温化することを抑制し得る。
【００８４】
また、更に、第１発光部１２３近傍の温度が、第２発光部１２４近傍の温度に比べて所定の温度差（例えば、摂氏５度）以下になると、第１発光部１２３を点灯し、第２発光部１２４を消灯するよう制御してもよい。このように制御することによって、第１発光部１２３近傍の温度と第２発光部１２４近傍の温度との温度差が一定範囲内に収まるように制御することができ、局所的に高温化することを抑制し得る。
【００８５】
（３）実施の形態では、発光部を導光板２０２におけるレシーバ１０５に近い側の端面とその端面に対向する端面に配置する例で説明したが、発光部の配置はこれに限らない。発光部の発光による発熱に起因して局所的に高温化したことを検出したときに、発光部を切り替えられるように互いに離隔して配置すればよい。例えば、実施の形態で例示した端面と異なる対向する端面それぞれに発光部を配置してもよい。また、実施の形態では、２つの発光部を配置する例を説明したが、発光部は２つとは限らない。２つより多い発光部を備え、点灯する発光部を切り替えるようにしてもよい。例えば、矩形の導光板の場合、４つの端面それぞれに発光部を配置してもよい。この場合、それぞれの発光部の近傍に温度センサを備え、最も温度の低い部分と、最も温度の高い部分との温度差が所定の温度差（例えば、摂氏５度）を越える場合に、最も温度の低い部分に最も近い発光部を点灯させ、他の発光部を消灯するように制御してもよい。
【００８６】
（４）実施の形態３に係る携帯電話機３０では、一定基準の温度を越えたとみなす点灯時間を閾値として点灯する発光部を切り替えたが、点灯時間の閾値はこの閾値に限らない。発光部の発光による発熱に起因して局所的に高温化するのを抑制し得る閾値であればよい。例えば、一定基準の温度を越えたとみなす点灯時間よりも短い閾値を設定してもよい。ただし、継続して点灯している時間が短いと点灯する発光部の切り替えが頻繁に起こるので、点灯時間は、局所的な温度上昇が許容できる範囲内で、できるだけ長い方が望ましい。このように設定すると、温度が一定基準を越える前に、一定時間毎に点灯する発光部を切り替えることができ、局所的に高温化することを抑制し得る。
【００８７】
（５）実施の形態３に係る携帯電話機３０では、第１発光部１２３と第２発光部１２４との点灯する発光部の点灯時間による切り替えの判断に同じ閾値を用いたが、同じ閾値を用いなくともよい。それぞれの発光部において、一定基準を越える温度にならない点灯時間を設定すればよい。例えば、第１発光部１２３から第２発光部１２４へ点灯する発光部を切り替えるときの点灯時間の閾値と、第２発光部１２４から第１発光部１２３へ切り替える点灯時間の閾値とに異なった閾値を設定してもよい。これにより、例えば、第１発光部１２３近傍には他に発熱しやすい回路がある場合には、第１発光部１２３の点灯時間の閾値を第２発光部１２４の点灯時間の閾値より短く設定して、第１発光部１２３近傍の温度上昇を抑制してもよい。
【００８８】
このような制御を行うことによって、一定時間毎に発光する発光部を切り替えることができるので、発光による発熱に起因して局所的に高温化することを抑制することができる。
（６）実施の形態２では、通話中は、第１発光部１２３近傍の温度にかかわらず、レシーバ１０５に近い方の第１発光部１２３を消灯し、代わりに第２発光部１２４を点灯する例を説明したが、通話中は、第１発光部１２３を継続して消灯することには限らない。レシーバ１０５周辺の温度が一定基準を越えない温度であるように制御できればよい。例えば、通話開始時に消灯した後は、上述の（４）と同様の制御を行ってもよい。
【００８９】
（７）実施の形態では、第１発光部１２３、第２発光部１２４をそれぞれ導光板２０２の側面に沿って配置した例で説明したが、発光部は導光板２０２の側面に沿って配置することに限らない。それぞれの発光部は離隔しており、且つ、導光板２０２の側面から光が入射できれば、発光部はどこに配置されていてもよい。例えば、携帯端末の筐体内の適当な場所に発光部を配置し、光ファイバー等を用いて導光板２０２の側面から入射するように導光してもよい。このように発光部を導光板２０２の端面から離れて配置して、光を導光板２０２の側面から入射させるように導光する方式のものも、ここでは、エッジライト方式に含む。
【００９０】
このようにすることで、放熱しやすい場所や筐体内の回路が密集していないスペースなどに配置することができ、携帯端末の設計の自由度が増す。
（８）一般に、携帯端末では、バックライトユニットの光源の発光による発熱以外にも、プロセッサ、他のＩＣ（Integrated Circuit）等の半導体回路及び内蔵充電池等の発熱に起因した温度上昇があり得る。温度が上昇すると、携帯端末に内蔵されている半導体回路等が劣化したり、動作しなくなったりするおそれがあるので、半導体回路等を保護するために温度が一定基準を越えると、実行中に発熱を伴うような機能の使用を制限する機能を備えた携帯端末がある。このような携帯端末の場合には、温度が一定基準を越えた場合にその使用が制限される機能に係る回路に近い方の発光部を消灯し、もう一方の発光部を点灯するようにしてもよい。
【００９１】
例えば、携帯端末にカメラが内蔵されており、温度上昇によってカメラ機能の使用が制限される場合には、カメラを起動中に、カメラ機能に係る回路に近い方の発光部を消灯し、もう一方の発光部を点灯するようにしてもよい。これにより、カメラ機能の使用中に、温度上昇によってその使用が制限されるおそれを低減し得る。
また、一般的に、携帯端末の内蔵充電池の充電中は、内蔵充電池が発熱し、携帯端末の筐体の温度が全体的に高くなる。このため、携帯端末の内蔵充電池の充電中は、レシーバに近い方の第１発光部１２３を消灯し、第２発光部１２４を点灯するようにしてもよい。これにより、携帯端末の筐体におけるレシーバ１０５に近い部分が発光による発熱が更に加わるために起こり得る局所的な高温化が抑制され、通話を開始したときに、ユーザが筐体の温度により感じ得る不快な違和感を低減し得る。
【００９２】
また、充電中に発熱する回路に近い方の発光部を消灯し、もう一方の発光部を点灯するようにしてもよい。これにより、発熱源が一部分に集中せず、局所的に高温化することを抑制し得る。
（９）実施の形態では、バックライトユニット１２２の光源としてＬＥＤを用いた例で説明したが、バックライトユニット１２２の光源はＬＥＤに限らない。照明として用いることのできる発光デバイスであればよい。例えば、冷陰極蛍光管を用いてもよい。上述の（２）や（３）の発光量を調整して発熱を抑制する場合に、発光部に冷陰極蛍光管を用いるときは、共振型トランスを用いた冷陰極蛍光管インバータ回路によって、冷陰極蛍光管の管電流を増減して調光することができる。
【００９３】
（１０）実施の形態では、バックライトユニット１２２のそれぞれの発光部は複数個のＬＥＤを含むとしたが、ＬＥＤの個数は複数に限らない。ＬＣＤの表示面を均一に照明できればよく、例えば、それぞれ１個のＬＥＤで構成されていてもよい。
（１１）実施の形態及び変形例において説明した各処理（図３、図５、図７、図８、図９で示す処理）を携帯端末のプロセッサに実行させるための制御プログラムを、記録媒体に記録し又は各種通信路等を介して、流通させ頒布することもできる。このような記録媒体には、ＩＣカード、ハードディスク、光ディスク、フレキシブルディスク、ＲＯＭ、フラッシュメモリ等がある。流通、頒布された制御プログラムは、携帯端末のプロセッサで読み取り可能なメモリ等に格納されることにより利用に供され、プロセッサがその制御プログラムを実行することにより実施の形態で示した各機能が実現される。
【００９４】
（１２）実施の形態において説明した携帯端末の制御部、検出部、通話検知部における各機能は、全部又は一部を１チップ又は複数チップの集積回路を用いて実現してもよいし、その機能をコンピュータのプログラムを用いて実現してもよいし、その他どのような形態で実現してもよい。
（１３）上記の実施の形態及び上記の変形例を適宜組み合わせてもよい。
【００９５】
（１４）以下、更に本発明の一実施形態としての携帯端末、及びその変形例と効果について説明する。
（ａ）本発明の一態様である携帯端末は、バックライトユニットを含むディスプレイを有する携帯端末であって、前記バックライトユニットは、第１発光部及び第２発光部とを備え、前記第１発光部についての温度の検出を行う検出部と、前記検出部が一定基準を越える温度を検出した場合に、前記第１発光部の発光の抑制を行い、前記抑制に伴って前記第２発光部の発光の制御を行う制御部とを備える。
【００９６】
この構成の携帯端末は、第１発光部の発光による発熱に起因して第１発光部近傍の温度が一定基準を越える温度の場合に、第１発光部の発光を抑制し、この抑制に伴って第２発光部の発光を制御する。
従って、バックライトの輝度の低下を抑えつつ、発光による局所的に高温化することを抑制し得る。
【００９７】
（ｂ）ここで、前記制御部は、前記第２発光部の発光の前記制御を、前記第１発光部の発光の抑制によるバックライトの輝度の低下を補うように行う、としてもよい。
この構成の携帯端末は、第１発光部の発光による発熱に起因して第１発光部近傍の温度が一定基準を越える温度の場合に、第１発光部の発光を抑制し、代わりに、バックライトの輝度が低下しないように第２発光部の発光を制御する。
【００９８】
従って、バックライトの輝度の低下を抑えつつ、発光による局所的に高温化することを抑制し得る。
（ｃ）ここで、更に、音を出力するレシーバを備え、前記バックライトユニットは、導光板を備え、当該導光板の端辺の内の前記レシーバに最も近い端辺に前記第１発光部が配置され、当該第１発光部が配置された端辺の対向辺に前記第２発光部が配置されている、としてもよい。
【００９９】
この構成の携帯端末では、第１発光部がレシーバ近傍に配置されているので、検知部は、レシーバ近傍の温度を検知することができる。すなわち、レシーバ近傍の温度が一定基準を越えないように第１発光部の発光を抑制する。
従って、レシーバの近傍が局所的に高温化することを抑制できるので、通話時にレシーバに耳を接触させた際に、ユーザが感じ得る不快な違和感を低減し得る。
【０１００】
（ｄ）ここで、前記検出部は、第１の温度センサを備え、前記温度の検出を、当該第１の温度センサを用いて、前記第２発光部より前記第１発光部に近い所定位置における温度を測定することによって行う、としてもよい。
この構成の携帯端末は、温度センサによって第１発光部に近い部分の温度を測定し、その結果に基づいて、一定基準の温度を越える温度であるか否かを判断することができ、一定基準の温度を越える場合には、第１発光部の発光を抑制することができる。
【０１０１】
従って、バックライトの輝度の低下を抑えつつ、発光による発熱に起因して局所的に高温化することを抑制し得る。
（ｅ）ここで、前記第１発光部が発光している状態であり、且つ、前記第２発光部が発光していない状態において、前記制御部における前記抑制は、前記第１発光部の消灯を行うことであり、前記制御は、前記第２発光部の点灯を行うことである、としてもよい。
【０１０２】
この構成の携帯端末は、一定基準を越える温度を検出した場合に、点灯する発光部を第１発光部から第２発光部へ切り替えることができる。
従って、バックライトの輝度の低下を抑えつつ、発光による発熱に起因して局所的に高温化することを抑制し得る。
（ｆ）ここで、前記制御部は、前記ディスプレイに表示する表示画面の更新を行い、前記検出部が一定基準を越える温度を検出した後、次に表示画面の更新を行う際に、前記消灯及び前記点灯を行う、としてもよい。
【０１０３】
この構成の携帯端末は、点灯する発光部の切り替えを、ＬＣＤの表示画面の更新の際に行う。
従って、点灯する発光部を切り替える際に起こり得るバックライトの輝度変化を目立たなくすることができる。
（ｇ）ここで、前記制御部は、前記検出部が、前記一定基準よりも更に高い所定の温度を検出した場合には、前記更新を待たずに前記消灯及び前記点灯を行う、としてもよい。
【０１０４】
この構成の携帯端末は、更に、一定基準の温度よりも更に高い所定の温度を検出した場合には、ＬＣＤの表示の更新を待たずに、点灯する発光部を切り替える。
従って、迅速に点灯する発光部を切り替え、発光による発熱に起因して局所的に高温化することを抑制し得る。
（ｈ）ここで、前記第１発光部が発光していない状態であり、且つ、前記第２発光部が発光している状態において、前記制御部は、前記検出部が前記一定基準より低い所定の温度未満の温度を検出したときには、前記第１発光部を点灯し、前記第２発光部を消灯する、としてもよい。
【０１０５】
この構成の携帯端末は、第１発光部が発光しておらず、且つ、第２発光部が発光している状態において、一定基準を越える温度より低い所定の温度を越えない温度を検出部が検出したときには、第１発光部を点灯し、第２発光部を消灯する。
従って、バックライトの輝度の低下を抑えつつ、第２発光部についても、発光による発熱に起因して局所的に高温化することを抑制し得る。
【０１０６】
（ｉ）ここで、前記制御部は、前記消灯を、時間経過に伴って徐々に前記第１発光部に供給する電流量を０になるように減少させることにより行い、前記点灯を、減少させる電流量に相当する電流量分増加するように前記第２発光部に電流を供給することにより行うとしてもよい。
この構成の携帯端末は、点灯する発光部の切り替えの際に、第１発光部に供給する電流量を０になるまで徐々に減少させ、代わりに第２発光部へ供給する電流量を補完するように徐々に増加させるので第１発光部は徐々に暗くなり、第２発光部は徐々に明るくなる。
【０１０７】
従って、点灯する発光部を切り替える際に起こり得るバックライトの輝度変化を目立たないようにしながら、点灯する発光部を切り替えることができる。
（ｊ）ここで、前記第１発光部が発光している状態であり、且つ、前記第２発光部が発光していない状態において、前記制御部における前記抑制は、前記第１発光部へ供給する電流量を減少させて減光することであり、前記制御は、減少させる電流量に相当する電流量を前記第２発光部に供給して発光させることである、としてもよい。
【０１０８】
この構成の携帯端末は、一定基準を越える温度を検出した場合に、第１発光部へ供給する電流量を減少させ、代わりに、補完するように第２発光部へ供給する電流量を増加させる。これにより、第１発光部は減光し、発熱が抑制され、第１発光部が減光した分を補うように第２発光部が発光する。
従って、バックライトの輝度の低下を抑えつつ、発光による発熱に起因して局所的に高温化することを抑制し得る。
【０１０９】
（ｋ）ここで、前記検出部は、更に、前記第１発光部より前記第２発光部に近い所定位置における温度を測定する第２の温度センサを備え、前記第１の温度センサでの温度の測定と前記第２の温度センサでの温度の測定とは、所定の時間間隔以内で行われ、前記一定基準の温度は、前記第２の温度センサで測定した温度より所定の温度高い第１閾値で示される温度であり、前記検出部は、前記第１の温度センサで測定した温度が前記第１閾値を越える温度である場合に、一定基準を越える温度を検出したと判断し、更に、前記制御部は、前記検出部において前記第１の温度センサで測定した温度が、前記第２の温度センサで測定した温度より所定の温度低い第２閾値未満の温度である場合には、前記第２発光部の発光を抑制し、前記抑制によるバックライトの輝度の低下を補うように前記第１発光部の発光を制御する、としてもよい。
【０１１０】
この構成の携帯端末は、第１発光部１２３近傍の温度が、第２発光部１２４近傍の温度に基づく一定基準の温度を越えた場合に、第１発光部１２３の発光を抑制し、代わりに第２発光部１２４の発光を制御し、バックライトの輝度を一定範囲内に保つ。更に、第１発光部１２３近傍の温度が第２発光部１２４近傍の温度に比べて所定の温度以下の場合には、第２発光部１２４の発光を抑制し、代わりに第１発光部１２３の発光を制御し、バックライトの輝度を一定範囲内に保つ。
【０１１１】
従って、バックライトの輝度の低下を抑えつつ、発光による発熱に起因して局所的に高温化することを抑制し得る。
（ｌ）ここで、更に、通話の開始と終了とを検知する通話検知部を備え、前記制御部は、前記通話検知部が通話の開始を検知してから通話の終了を検知するまでの間は、前記検出部が一定基準を越える温度を検出したか否かにかかわらず、前記第１発光部の消灯及び前記第２発光部の点灯を行う、としてもよい。
【０１１２】
この構成の携帯端末は、通話の開始を検知すると、レシーバに近い方にある第１発光部を消灯し、第２発光部を点灯する。
従って、通話中にレシーバ近傍が局所的に高温化することを抑制できるので、通話中にレシーバに耳を接触させた際に、ユーザが感じ得る不快な違和感を低減し得る。
（ｍ）ここで、更に、前記検出部は、前記第１発光部について、点灯からの点灯時間を計時する点灯時間計時部を備え、前記検出部は、前記点灯時間計時部によって計時された前記点灯時間が、予め定められた所定の点灯時間を越える場合に、前記一定基準を越える温度を検出したとみなす、としてもよい。
【０１１３】
この構成の携帯端末は、第１発光部が、一定基準の点灯時間を越えて点灯していると、第１発光部を消灯し、第２発光部を点灯する。
従って、バックライトの輝度の低下を抑えつつ、発光による発熱に起因して第１発光部近傍が局所的に高温化することを抑制し得る。
（ｎ）本発明に係る携帯端末は、バックライトユニットを含むディスプレイを有する携帯端末であって、前記バックライトユニットは、第１発光部及び第２発光部とを備え、前記第１発光部及び前記第２発光部について、点灯からの点灯時間を計時する点灯時間計時部と、前記点灯時間計時部によって計時された前記点灯時間が、予め定められた所定の点灯時間を越える毎に、前記第１発光部及び前記第２発光部の内、発光している発光部を消灯し、消灯している発光部を点灯するよう制御する制御部とを備える。
【０１１４】
この構成の携帯端末は、第１発光部及び第２発光部の点灯からの点灯時間が、それぞれ連続して一定基準の点灯時間を越える場合に、点灯している発光部を消灯し、消灯している発光部を点灯する。
従って、この構成の携帯端末は、一定時間毎に点灯する発光部を交互に切り替えることができるので、発光部の発光による発熱に起因して局所的に高温化することを抑制できる。
【０１１５】
（ｏ）本発明に係る携帯端末の制御方法は、バックライトユニットを含むディスプレイを有する携帯端末の制御方法であって、前記バックライトユニットは、第１発光部及び第２発光部とを備え、前記制御方法は、前記第１発光部についての温度の検出を行う検出ステップと、前記検出ステップが一定基準を越える温度を検出した場合に、前記第１発光部の発光の抑制を行い、前記抑制に伴って前記第２発光部の発光の制御を行う制御ステップとを備える。
【０１１６】
この構成の携帯端末の制御方法は、第１発光部の発光による発熱に起因して第１発光部近傍の温度が一定基準を越える場合に、第１発光部の発光を抑制し、この抑制に伴って第２発光部の発光を制御する。
従って、バックライトの輝度の低下を抑えつつ、発光による発熱に起因して局所的に高温化することを抑制し得る。
【０１１７】
（ｐ）本発明に係る携帯端末の制御プログラムは、バックライトユニットを含むディスプレイを有する携帯端末の制御プログラムであって、前記バックライトユニットは、第１発光部及び第２発光部とを備え、前記制御プログラムは、前記携帯端末に、前記第１発光部についての温度の検出を行う検出ステップと、前記検出ステップが一定基準を越える温度を検出した場合に、前記第１発光部の発光の抑制を行い、前記抑制に伴って前記第２発光部の発光の制御を行う制御ステップとを実行させる。
【０１１８】
この構成の携帯端末の制御プログラムは、第１発光部の発光による発熱に起因して第１発光部近傍の温度が一定基準を越える場合に、第１発光部の発光を抑制し、この抑制に伴って第２発光部の発光を制御する。
従って、バックライトの輝度の低下を抑えつつ、発光による発熱に起因して局所的に高温化することを抑制し得る。
【産業上の利用可能性】
【０１１９】
本発明は、携帯端末における表示装置のバックライトユニットの光源の発光を制御する技術として利用可能である。
【符号の説明】
【０１２０】
１０、１０ｂ、１０ｃ、２０、３０  携帯電話機
１０１  表示装置
１０２、１０２ｂ  記憶部
１０３、１０３ｂ  検出部
１０４、１０４ｂ、１０４ｃ  制御部
１０５  レシーバ
１０６  マイク
１０７  通信部
１０８  アンテナ
１０９  通話検知部
１２１  ＬＣＤ（Liquid Crystal Display）
１２２  バックライトユニット
１２３  第１発光部
１２４  第２発光部
１３１  温度センサ
１３２  点灯時間計時部
【図１】
2014089802.tif 000003
【図２】
2014089802.tif 000004
【図３】
2014089802.tif 000005
【図４】
2014089802.tif 000006
【図５】
2014089802.tif 000007
【図６】
2014089802.tif 000008
【図７】
2014089802.tif 000009
【図８】
2014089802.tif 000010
【図９】
2014089802.tif 000011